【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は下記を備える、
前記ビデオデータの符号化された表現を含むビットストリームから、ネストされていない補足強調情報（ＳＥＩ）メッセージを取得すること、ここにおいて、前記ネストされていないＳＥＩメッセージは、前記ビットストリーム中の別のＳＥＩメッセージ内にネストされておらず、前記ネストされていないＳＥＩメッセージは、バッファリング期間ＳＥＩメッセージ、ピクチャタイミングＳＥＩメッセージ、または復号ユニット情報ＳＥＩメッセージではない、と、
前記ネストされていないＳＥＩメッセージが適用可能な前記ビットストリームのレイヤを決定すること、ここにおいて、前記ビットストリームのビデオコーディングレイヤ（ＶＣＬ）ネットワークアブストラクションレイヤ（ＮＡＬ）ユニットが、前記ネストされていないＳＥＩメッセージをカプセル化するＳＥＩ  ＮＡＬユニットにおいて指定されるレイヤ識別子に等しいレイヤ識別子を有するレイヤに、前記ネストされていないＳＥＩメッセージが適用可能であり、前記ＳＥＩ  ＮＡＬユニットにおいて指定される時間識別子は、前記ＳＥＩ  ＮＡＬユニットを含むアクセスユニットの時間識別子に等しくなることが要求される、と、
前記ネストされていないＳＥＩメッセージ中の１つまたは複数のシンタックス要素に部分的に基づいて、前記ネストされていないＳＥＩメッセージが適用可能な前記ビットストリームの前記レイヤのビデオデータを処理すること。
【請求項２】
前記ＳＥＩ  ＮＡＬユニットはＮＡＬユニットヘッダとペイロードとを含み、
前記ＳＥＩ  ＮＡＬユニットの前記ＮＡＬユニットヘッダは、少なくとも第１のシンタックス要素と第２のシンタックス要素とを含み、
前記第１のシンタックス要素は、前記ＳＥＩ  ＮＡＬユニットの前記レイヤ識別子を指定し、
前記第２のシンタックス要素は、前記ＳＥＩ  ＮＡＬユニットの前記時間識別子を指定し、
前記ＳＥＩ  ＮＡＬユニットの前記ペイロードは、前記ネストされていないＳＥＩメッセージを含む、
請求項１に記載の方法。
【請求項３】
前記ネストされていないＳＥＩメッセージは、
出力ピクチャのピクチャアスペクト比とは異なるピクチャアスペクト比での表示に関連付けられたデータを含むパンスキャン方形ＳＥＩメッセージ、
特定の制約を満たすようにビットレートを調整するためのデータを含むフィラーペイロードＳＥＩメッセージ、
クリーンランダムアクセスまたは漸次復号リフレッシュについての情報を含む回復点ＳＥＩメッセージ、
シーン変化および遷移に関連付けられた情報を含むシーン情報ＳＥＩメッセージ、
関連付けられた、復号されたピクチャをビデオコンテンツの静止画像スナップショットとして標示するための指示を含むピクチャスナップショットＳＥＩメッセージ、
動画シーンではなくピクチャの品質の漸進的洗練化を表す連続ピクチャのセグメントの開始に関連付けられた情報を含む漸進的洗練化セグメント開始ＳＥＩメッセージ、
連続ピクチャの前記セグメントの終了に関連付けられた情報を含む漸進的洗練化セグメント終了ＳＥＩメッセージ、
合成フィルムグレイン効果に関連付けられた情報を含むフィルムグレイン特性ＳＥＩメッセージ、
提案されたポストフィルタ係数に関連付けられた情報またはポストフィルタ設計についての相関情報を含むポストフィルタヒントＳＥＩメッセージ、
符号化において使われ、または想定されるものとは別の色空間への再マップに関連付けられた情報を含むトーンマッピング情報ＳＥＩメッセージ、
前記ビットストリーム中への立体視ビデオのパッキングに関連付けられた情報を含むフレームパッキング配置ＳＥＩメッセージ、
前記出力ピクチャが表示されるときに前記出力ピクチャに適用されるべきフリップおよび／または回転を指定する情報を含む表示配向ＳＥＩメッセージ、
前記ビットストリームの時間およびインター予測構造を記述する情報を含むピクチャ情報ＳＥＩメッセージの構造、
アクティブパラメータセットについての情報を含むアクティブパラメータセットＳＥＩメッセージ、
０に等しい時間識別子をもつコーディングされたピクチャが欠落しているときの検出に関連付けられた情報を含む時間サブレイヤゼロインデックスＳＥＩメッセージ、あるいは
前記ネストされていないＳＥＩメッセージが適用されるスライスセグメントが、現在のピクチャのリフレッシュされた領域に属すかどうかを示す情報を含む領域リフレッシュ情報ＳＥＩメッセージ、
のうちの１つである、請求項１に記載の方法。
【請求項４】
前記方法は、前記ネストされていないＳＥＩメッセージの１つまたは複数のシンタックス要素に基づいて、前記ネストされていないＳＥＩメッセージ用のペイロードタイプ変数を決定することをさらに備え、ここにおいて、
前記ネストされていないＳＥＩメッセージ用の前記ペイロードタイプ変数は、前記ネストされていないＳＥＩメッセージのペイロードタイプを示し、
前記ネストされていないＳＥＩメッセージ用の前記ペイロードタイプ変数は、２、３、６、９、１５、１６、１７、１９、２２、２３、４５、４７、１２８、１２９、１３１、または１３４に等しい、
請求項３に記載の方法。
【請求項５】
前記ネストされていないＳＥＩメッセージは、第１のネストされていないＳＥＩメッセージであり、
前記方法は、
前記ビットストリームから、仮想参照デコーダ（ＨＲＤ）動作についての初期遅延を示す第２のネストされていないバッファリング期間ＳＥＩメッセージを取得することと、
前記第２のネストされていないバッファリング期間ＳＥＩメッセージがＴａｒｇｅｔＯｐに適用可能なとき、ＨＲＤ初期化点として、前記第２のネストされていないバッファリング期間ＳＥＩメッセージに関連付けられたアクセスユニットを選択すること、ここにおいて、ＴａｒｇｅｔＯｐは、復号対象ビットストリーム中のレイヤ識別子のセットであり、前記復号対象ビットストリームは、前記ビットストリームまたは前記ビットストリームのサブストリームである、と、
前記選択されたアクセスユニットにおいてＨＲＤを初期化することと、
をさらに備える、請求項１に記載の方法。
【請求項６】
前記ネストされていないＳＥＩメッセージは、第１のネストされていないＳＥＩメッセージであり、
前記方法は、
前記ビットストリームから、第２のネストされていないＳＥＩメッセージを取得すること、前記第２のネストされていないＳＥＩメッセージは、ＨＲＤ動作についての初期遅延を示すバッファリング期間ＳＥＩメッセージ、ＨＲＤ動作についてのピクチャ出力時間とピクチャ／サブピクチャ除去時間とを示すピクチャタイミングＳＥＩメッセージ、またはＨＲＤ動作についてのサブピクチャ除去時間を示す復号ユニットＳＥＩメッセージである、と、
復号対象ビットストリーム中の各それぞれのアクセスユニットについて、
前記第２のネストされていないＳＥＩメッセージが、前記アクセスユニットに関連付けられ、および前記第２のネストされていないＳＥＩメッセージが、前記復号対象ビットストリーム中のレイヤ識別子のセットに適用可能であるとき、前記それぞれのアクセスユニット用の前記第２のネストされていないＳＥＩメッセージを選択すること、ここにおいて、前記復号対象ビットストリームは、前記ビットストリームまたは前記ビットストリームのサブビットストリームである、と、
前記それぞれのアクセスユニットに関して、ＨＲＤ動作において、前記第２のネストされていないＳＥＩメッセージの１つまたは複数のシンタックス要素を使うことと、
をさらに備える、請求項１に記載の方法。
【請求項７】
前記ネストされていないＳＥＩメッセージは、第１のネストされていないＳＥＩメッセージであり、
前記方法は、
前記ビットストリームから、第２のネストされていないＳＥＩメッセージを取得すること、前記第２のネストされていないＳＥＩメッセージは、ＨＲＤ動作についての初期遅延を示すバッファリング期間ＳＥＩメッセージ、ＨＲＤ動作についてのピクチャ出力時間とピクチャ／サブピクチャ除去時間とを示すピクチャタイミングＳＥＩメッセージ、またはＨＲＤ動作についてのサブピクチャ除去時間を示す復号ユニットＳＥＩメッセージである、と、
前記第２のネストされていないＳＥＩメッセージに適用可能な動作点を決定することと、
ここにおいて、前記第２のネストされていないＳＥＩメッセージに適用可能な前記動作点のすべてのＮＡＬユニットの最も高い時間識別子は、前記第２のネストされていないＳＥＩメッセージをカプセル化するＳＥＩ  ＮＡＬユニットの時間識別子に等しい、および
ここにおいて、前記第２のネストされていないＳＥＩメッセージに適用可能な前記動作点の前記ＮＡＬユニットすべてのレイヤ識別子のセットは、０から、前記第２のネストされていないＳＥＩメッセージをカプセル化する前記ＳＥＩ  ＮＡＬユニットの前記レイヤ識別子までの範囲内のすべての整数値を含む、
前記第２のネストされていないＳＥＩメッセージの１つまたは複数のシンタックス要素の値に部分的に基づいて、前記第２のネストされていないＳＥＩメッセージに適用可能な前記動作点に関してＨＲＤ動作を実施することと、
をさらに備える、請求項１に記載の方法。
【請求項８】
ビデオ処理デバイスであって、前記ビデオ処理デバイスは下記を備える、
ビデオデータの符号化された表現を含むビットストリームから、ネストされていない補足強調情報（ＳＥＩ）メッセージを取得するための手段、ここにおいて、前記ネストされていないＳＥＩメッセージは、前記ビットストリーム中の別のＳＥＩメッセージ内にネストされておらず、前記ネストされていないＳＥＩメッセージは、バッファリング期間ＳＥＩメッセージ、ピクチャタイミングＳＥＩメッセージ、または復号ユニット情報ＳＥＩメッセージではない、と、
前記ネストされていないＳＥＩメッセージが適用可能な前記ビットストリームのレイヤを決定するための手段、ここにおいて、前記ビットストリームのビデオコーディングレイヤ（ＶＣＬ）ネットワークアブストラクションレイヤ（ＮＡＬ）ユニットが、前記ネストされていないＳＥＩメッセージをカプセル化するＳＥＩ  ＮＡＬユニットにおいて指定されるレイヤ識別子に等しいレイヤ識別子を有するレイヤに、前記ネストされていないＳＥＩメッセージが適用可能であり、前記ＳＥＩ  ＮＡＬユニットにおいて指定される時間識別子は、前記ＳＥＩ  ＮＡＬユニットを含むアクセスユニットの時間識別子に等しくなることが要求される、と、
前記ネストされていないＳＥＩメッセージ中の１つまたは複数のシンタックス要素に部分的に基づいて、前記ネストされていないＳＥＩメッセージが適用可能な前記ビットストリームの前記レイヤのビデオデータを処理するための手段。
【請求項９】
前記ＳＥＩ  ＮＡＬユニットはＮＡＬユニットヘッダとペイロードとを含み、
前記ＳＥＩ  ＮＡＬユニットの前記ＮＡＬユニットヘッダは、少なくとも第１のシンタックス要素と第２のシンタックス要素とを含み、
前記第１のシンタックス要素は、前記ＳＥＩ  ＮＡＬユニットの前記レイヤ識別子を指定し、
前記第２のシンタックス要素は、前記ＳＥＩ  ＮＡＬユニットの前記時間識別子を指定し、
前記ＳＥＩ  ＮＡＬユニットの前記ペイロードは、前記ネストされていないＳＥＩメッセージを含む、
請求項８に記載のビデオ処理デバイス。
【請求項１０】
前記ネストされていないＳＥＩメッセージは、
出力ピクチャのピクチャアスペクト比とは異なるピクチャアスペクト比での表示に関連付けられたデータを含むパンスキャン方形ＳＥＩメッセージ、
特定の制約を満たすようにビットレートを調整するためのデータを含むフィラーペイロードＳＥＩメッセージ、
クリーンランダムアクセスまたは漸次復号リフレッシュについての情報を含む回復点ＳＥＩメッセージ、
シーン変化および遷移に関連付けられた情報を含むシーン情報ＳＥＩメッセージ、
関連付けられた、復号されたピクチャをビデオコンテンツの静止画像スナップショットとして標示するための指示を含むピクチャスナップショットＳＥＩメッセージ、
動画シーンではなくピクチャの品質の漸進的洗練化を表す連続ピクチャのセグメントの開始に関連付けられた情報を含む漸進的洗練化セグメント開始ＳＥＩメッセージ、
連続ピクチャの前記セグメントの終了に関連付けられた情報を含む漸進的洗練化セグメント終了ＳＥＩメッセージ、
合成フィルムグレイン効果に関連付けられた情報を含むフィルムグレイン特性ＳＥＩメッセージ、
提案されたポストフィルタ係数に関連付けられた情報またはポストフィルタ設計についての相関情報を含むポストフィルタヒントＳＥＩメッセージ、
符号化において使われ、または想定されるものとは別の色空間への再マップに関連付けられた情報を含むトーンマッピング情報ＳＥＩメッセージ、
前記ビットストリーム中への立体視ビデオのパッキングに関連付けられた情報を含むフレームパッキング配置ＳＥＩメッセージ、
前記出力ピクチャが表示されるときに前記出力ピクチャに適用されるべきフリップおよび／または回転を指定する情報を含む表示配向ＳＥＩメッセージ、
前記ビットストリームの時間およびインター予測構造を記述する情報を含むピクチャ情報ＳＥＩメッセージの構造、
アクティブパラメータセットについての情報を含むアクティブパラメータセットＳＥＩメッセージ、
０に等しい時間識別子をもつコーディングされたピクチャが欠落しているときの検出に関連付けられた情報を含む時間サブレイヤゼロインデックスＳＥＩメッセージ、あるいは
前記ネストされていないＳＥＩメッセージが適用されるスライスセグメントが、現在のピクチャのリフレッシュされた領域に属すかどうかを示す情報を含む領域リフレッシュ情報ＳＥＩメッセージ、
のうちの１つである、請求項８に記載のビデオ処理デバイス。
【請求項１１】
前記ネストされていないＳＥＩメッセージの１つまたは複数のシンタックス要素に基づいて、前記ネストされていないＳＥＩメッセージ用のペイロードタイプ変数を決定するための手段を備え、ここにおいて、前記ネストされていないＳＥＩメッセージ用の前記ペイロードタイプ変数は、前記ネストされていないＳＥＩメッセージのペイロードタイプを示し、
前記ネストされていないＳＥＩメッセージ用の前記ペイロードタイプ変数は、２、３、６、９、１５、１６、１７、１９、２２、２３、４５、４７、１２８、１２９、１３１、または１３４に等しい、
請求項１０に記載のビデオ処理デバイス。
【請求項１２】
前記ネストされていないＳＥＩメッセージは、第１のネストされていないＳＥＩメッセージであり、
前記デバイスは、
前記ビットストリームから、仮想参照デコーダ（ＨＲＤ）動作についての初期遅延を示す第２のネストされていないバッファリング期間ＳＥＩメッセージを取得し、
前記第２のネストされていないバッファリング期間ＳＥＩメッセージがＴａｒｇｅｔＯｐに適用可能なとき、ＨＲＤ初期化点として、前記第２のネストされていないバッファリング期間ＳＥＩメッセージに関連付けられたアクセスユニットを選択し、ここにおいて、ＴａｒｇｅｔＯｐは、復号対象ビットストリーム中のレイヤ識別子のセットであり、前記復号対象ビットストリームは、前記ビットストリームまたは前記ビットストリームのサブストリームであり、
前記選択されたアクセスユニットにおいてＨＲＤを初期化する、
ための手段を備える、請求項８に記載のビデオ処理デバイス。
【請求項１３】
前記ネストされていないＳＥＩメッセージは、第１のネストされていないＳＥＩメッセージであり、
前記デバイスは、
前記ビットストリームから、第２のネストされていないＳＥＩメッセージを取得し、前記第２のネストされていないＳＥＩメッセージは、ＨＲＤ動作についての初期遅延を示すバッファリング期間ＳＥＩメッセージ、ＨＲＤ動作についてのピクチャ出力時間とピクチャ／サブピクチャ除去時間とを示すピクチャタイミングＳＥＩメッセージ、またはＨＲＤ動作についてのサブピクチャ除去時間を示す復号ユニットＳＥＩメッセージである、
復号対象ビットストリーム中の各それぞれのアクセスユニットについて、
前記第２のネストされていないＳＥＩメッセージが、前記アクセスユニットに関連付けられ、および前記第２のネストされていないＳＥＩメッセージが、前記復号対象ビットストリーム中のレイヤ識別子のセットに適用可能であるとき、前記それぞれのアクセスユニット用の前記第２のネストされていないＳＥＩメッセージを選択し、ここにおいて、前記復号対象ビットストリームは、前記ビットストリームまたは前記ビットストリームのサブビットストリームであり、
前記それぞれのアクセスユニットに関して、ＨＲＤ動作において、前記第２のネストされていないＳＥＩメッセージの１つまたは複数のシンタックス要素を使う、
ための手段を備える、請求項８に記載のビデオ処理デバイス。
【請求項１４】
前記ネストされていないＳＥＩメッセージは、第１のネストされていないＳＥＩメッセージであり、
前記デバイスは、
前記ビットストリームから、第２のネストされていないＳＥＩメッセージを取得し、前記第２のネストされていないＳＥＩメッセージは、ＨＲＤ動作についての初期遅延を示すバッファリング期間ＳＥＩメッセージ、ＨＲＤ動作についてのピクチャ出力時間とピクチャ／サブピクチャ除去時間とを示すピクチャタイミングＳＥＩメッセージ、またはＨＲＤ動作についてのサブピクチャ除去時間を示す復号ユニットＳＥＩメッセージであり、
前記第２のネストされていないＳＥＩメッセージに適用可能な動作点を決定し、
ここにおいて、前記第２のネストされていないＳＥＩメッセージに適用可能な前記動作点のすべてのＮＡＬユニットの最も高い時間識別子は、前記第２のネストされていないＳＥＩメッセージをカプセル化するＳＥＩ  ＮＡＬユニットの時間識別子に等しい、および
ここにおいて、前記第２のネストされていないＳＥＩメッセージに適用可能な前記動作点の前記ＮＡＬユニットすべてのレイヤ識別子のセットは、０から、前記第２のネストされていないＳＥＩメッセージをカプセル化する前記ＳＥＩ  ＮＡＬユニットの前記レイヤ識別子までの範囲内のすべての整数値を含み、
前記第２のネストされていないＳＥＩメッセージの１つまたは複数のシンタックス要素の値に部分的に基づいて、前記第２のネストされていないＳＥＩメッセージに適用可能な前記動作点に関してＨＲＤ動作を実施する、
ための手段を備える、請求項８に記載のビデオ処理デバイス。
【請求項１５】
実行されると、ビデオ処理デバイスを、請求項１から請求項７のうちの何れか１項に従って方法を実施するように構成する命令を記憶したコンピュータ可読記憶媒体。